(57)【特許請求の範囲】
【請求項１】
室温の上昇を検出する火災感知器であって、信号処理部とセンサー部とを電源兼信号線を介して分離配設するとともに、前記センサー部は信号処理部に対して半導体素子と表示素子とを並列接続して構成し、かつ信号処理部に、監視時と火災検出時とで前記電源兼信号線に加える電圧の極性を反転させる極性反転回路を設けたことを特徴とする火災感知器。
【請求項２】
室温の上昇を検出する火災感知器であって、信号処理部とセンサー部とを電源兼信号線を介して分離配設するとともに、前記センサー部は信号処理部に対して半導体素子と、コンデンサと表示素子との直列回路とを並列接続して構成し、かつ信号処理部に、監視時にはセンサー部に直流電流を供給し、火災検出時にはセンサー部にパルス電流を供給するスイッチング回路を設けたことを特徴とする火災感知器。
【請求項３】
室温の上昇を検出する火災感知器であって、信号処理部とセンサー部とを電源兼信号線を介して分離配設するとともに、前記センサー部は信号処理部に対して半導体素子と、電圧検出素子と表示素子との直列回路とを並列接続して構成し、かつ信号処理部に、監視時にはセンサー部に電圧検出素子が規定する電圧以下の電圧を供給し、火災検出時にはセンサー部に電圧検出素子が規定する電圧以上の電圧を供給する電圧切替回路を設けたことを特徴とする火災感知器。
【発明の詳細な説明】
【０００１】
【発明の属する技術分野】
本発明は、火災報知装置に用いられる火災感知器に関する。
【０００２】
【従来の技術】
従来の火災感知器は、熱感知器、煙感知器ともに、センサー部と信号処理部とを一つのハウジング内に収納し、天井等に取り付けるものがほとんどであった。しかし集合住宅の各住戸においては、各部屋ごとに火災感知器を設置する場合が多く、各火災感知器ごとに信号処理部を有することは、コスト的にも問題がありセンサー部と信号処理部とを分離して配設する火災感知器を先に出願人は、特願平８−３５０８９６号として特許出願した。この先行出願は、複数の温度検出手段と、これらの温度検出手段の信号処理を行う信号処理手段とを有して、何れか１つ又は複数の温度値に基づいて火災検知信号を出力することにより、多数の感知区域の室温を検知する火災感知器である。
【０００３】
【発明が解決しようとする課題】
しかし、上記の先行出願においては、各センサー部において火災検出をした場合の動作確認灯の点灯方法については、信号処理部において動作確認灯を点灯する方法を開示したが、各センサー部の設置位置における動作確認灯の点灯方法については具体的に開示していなかった。
【０００４】
本発明は、上記の問題点を解決するために成されたもので、その目的とするところは、センサー部と信号処理部とを分離する火災感知器において、センサー部において動作確認灯を点灯する火災感知器を提供することにある。
【０００５】
【課題を解決するための手段】
上記目的を達成するために、請求項１記載の発明にあっては、室温の上昇を検出する火災感知器であって、信号処理部とセンサー部とを電源兼信号線を介して分離配設するとともに、前記センサー部は信号処理部に対して半導体素子と表示素子とを並列接続して構成し、かつ信号処理部に、監視時と火災検出時とで前記電源兼信号線に加える電圧の極性を反転させる極性反転回路を設ける。
【０００６】
請求項２記載の発明にあっては、室温の上昇を検出する火災感知器であって、信号処理部とセンサー部とを電源兼信号線を介して分離配設するとともに、前記センサー部は信号処理部に対して半導体素子と、コンデンサと表示素子との直列回路とを並列接続して構成し、かつ信号処理部に、監視時にはセンサー部に直流電流を供給し、火災検出時にはセンサー部にパルス電流を供給するスイッチング回路を設ける。
【０００７】
請求項３記載の発明にあっては、室温の上昇を検出する火災感知器であって、信号処理部とセンサー部とを電源兼信号線を介して分離配設するとともに、前記センサー部は信号処理部に対して半導体素子と、電圧検出素子と表示素子との直列回路とを並列接続して構成し、かつ信号処理部に、監視時にはセンサー部に電圧検出素子が規定する電圧以下の電圧を供給し、火災検出時にはセンサー部に電圧検出素子が規定する電圧以上の電圧を供給する電圧切替回路を設ける。
【０００８】
【発明の実施の形態】
以下、本発明の火災感知器の第１の実施の形態を図１に基づいて、第２の実施の形態を図２に基づいて、第３の実施の形態を図３に基づいて、それぞれ説明する。
【０００９】
［第１の実施の形態］
図１は、第１の実施の形態の火災感知器のブロック図である。この火災感知器は、図１に示すように、信号処理部１とセンサー部２とを有し、センサ部２は受信機（図示せず）に接続してある。信号処理部１とセンサー部２とは電源兼信号線Ｌを介して接続してあり、信号処理部１とセンサ部２は分離して配設される。共同住宅等の各住戸に火災感知器を設置する場合は、信号処理部１は各住戸の住宅情報盤内や分電盤に付設して設置したり、住戸の玄関近辺に設置することができる。またセンサー部２は台所や各部屋に設置することができる。
【００１０】
センサー部２は、サーミスタ等の半導体素子３と発光ダイオード等の表示素子４で形成され、半導体素子３と表示素子４は、前記信号処理部１に対して電源兼信号線Ｌにより並列に接続される。サーミスタは室温等の温度変化を抵抗値変化に変換する。また発光ダイオードは順方向電流により点灯する。
【００１１】
一方、信号処理部１は、温度検出回路１０と火災信号回路１１と極性反転回路１２とで構成している。
【００１２】
極性反転回路１２は、通常の監視時においてはセンサー部２に対して直流電流を印加しており、センサー部２の抵抗値変化を温度検出回路１０が検出したときに、センサー部２に印加する電圧の極性を反転させる。
【００１３】
温度検出回路１０は、サーミスタ等の半導体素子３が室温を検出して抵抗値が変化し、サーミスタに流れる電流が変化することを検出して、温度上昇を検出する。
【００１４】
火災信号回路１１は、温度検出回路１０の温度検出出力を受けて、受信機に火災警報信号を送出するとともに、極性反転回路１２に信号を出力する。信号を入力した極性反転回路１２は、センサー部２の発光ダイオードに対する順方向電流を供給する。
【００１５】
次に、動作を説明する。通常監視状態においては、極性反転回路１２から、電源兼信号線Ｌを介してセンサー部２に直流電流が供給されており、発光ダイオードは逆方向の電流であるため消灯している。
【００１６】
センサー部２の温度が火災の発生により上昇すると、サーミスタの抵抗値が変化しサーミスタに流れる電流が変化する。この変化を信号処理部１の温度検出回路１０が検出して、閾値以上と判断した場合は火災信号回路１１に温度検出出力をする。火災信号回路１１は、温度検出回路１０の温度検出出力を受けて、受信機に火災警報信号を送出するとともに、極性反転回路１２に信号を出力する。信号を受けた極性反転回路１２は、センサー部２の発光ダイオードに電源兼信号線Ｌを介して発光ダイオードに対する順方向電流を供給する。発光ダイオード等の表示素子４は、順方向電流により点灯して、センサー部２が動作したことを点灯表示する。
【００１７】
［第２の実施の形態］
図２は、第２の実施の形態の火災感知器のブロック図である。この火災感知器は、図２に示すように、信号処理部１とセンサ部ー２とを有し、センサー部２は受信機（図示せず）に接続してある。信号処理部１とセンサ部２とは電源兼信号線Ｌを介して接続してあり、信号処理部１とセンサー部２は分離して配設される。
【００１８】
センサー部２は、サーミスタ等の半導体素子３とコンデンサ５と発光ダイオード等の表示素子４で形成され、コンデンサ５と表示素子４とは直列回路を形成しており、半導体素子３と、前記コンデンサ５と表示素子４との直列回路は、前記信号処理部１に対して電源兼信号線Ｌにより並列に接続される。サーミスタは室温等の温度変化を抵抗値変化に変換する。コンデンサ５は印加される電圧が断続（オン、オフ）すると電流が流れる。更に発光ダイオードは順方向電流により点灯する。
【００１９】
一方、信号処理部１は、温度検出回路１０と火災信号回路１１とスイッチング回路１３とで構成している。
【００２０】
スイッチング回路１３は、通常の監視時においてはセンサー部２に対して直流電流を印加しており、センサー部２の抵抗値変化を温度検出回路１０が検出したときに、センサー部２に印加する電流を断続させる。
【００２１】
温度検出回路１０は、サーミスタ等の半導体素子３が室温を検出して抵抗値が変化し、サーミスタに流れる電流が変化することを検出して、温度上昇を検出する。
【００２２】
火災信号回路１１は、温度検出回路１０の温度検出出力を受けて、受信機に火災警報信号を送出するとともに、スイッチング回路１３に信号を出力する。信号を入力したスイッチング回路１３は、センサー部２に対してパルス電流を供給する。
【００２３】
次に、動作を説明する。通常監視状態においては、スイッチング回路１３から電源兼信号線Ｌを介してセンサー部２に直流電流が供給されており、コンデンサ５の働きにより発光ダイオードに電流が流れず発光ダイオードは消灯している。センサー部２の温度が火災の発生により上昇すると、サーミスタの抵抗値が変化しサーミスタに流れる電流が変化する。この変化を信号処理部１の温度検出回路１０が検出して、閾値以上と判断した場合は火災信号回路１１に温度検出出力をする。火災信号回路１１は、温度検出回路１０の温度検出出力を受けて、受信機に火災警報信号を送出するとともに、スイッチング回路１３に信号を出力する。信号を受けたスイッチング回路１３は、センサー部２のコンデンサ５と発光ダイオードに電源兼信号線Ｌを介してパルス電流を供給する。発光ダイオード等の表示素子４は、順方向のパルス電流により点滅して、センサー部２が動作したことを表示する。
【００２４】
［第３の実施の形態］
図３は、第３の実施の形態の火災感知器のブロック図である。この火災感知器は、図３に示すように、信号処理部１とセンサ部ー２とを有し、センサー部２は受信機（図示せず）に接続してある。信号処理部１とセンサ部２とは電源兼信号線Ｌを介して接続してあり、信号処理部１とセンサー部２は分離して配設される。
【００２５】
センサー部２は、サーミスタ等の半導体素子３とツェナーダイオード６と発光ダイオード等の表示素子４で形成され、ツェナーダイオード６と表示素子４とは直列回路を形成しており、半導体素子３と、前記ツェナーダイオード６と表示素子４との直列回路は、前記信号処理部１に対して電源兼信号線Ｌにより並列に接続される。サーミスタは室温等の温度変化を抵抗値変化に変換する。ツェナーダイオード６は印加される電圧がツェナーダイオード６の規定電圧（ツェナー電圧）を越えると電流が流れる。更に発光ダイオードは順方向電流により点灯する。
【００２６】
一方、信号処理部１は、温度検出回路１０と火災信号回路１１と電圧切替回路１４とで構成している。
【００２７】
電圧切替回路１４は、通常の監視時においてはセンサー部２に対してツェナーダイオード６の規定電圧以下の電圧を印加して直流電流を供給しており、センサー部２の抵抗値変化を温度検出回路１０が検出したときに、センサー部２に印加する電圧をツェナーダイオード６の規定電圧以上に上昇させる。
【００２８】
温度検出回路１０は、サーミスタ等の半導体素子３が室温を検出して抵抗値が変化し、サーミスタに流れる電流が変化することを検出して、温度上昇を検出する。
【００２９】
火災信号回路１１は、温度検出回路１０の温度検出出力を受けて、受信機に火災警報信号を送出するとともに、信号を入力した電圧切替回路１４が、センサー部２に対してツェナーダイオード６の規定電圧以上の電圧を供給する。
【００３０】
次に、動作を説明する。通常監視状態においては、スイッチング回路１３から電源兼信号線Ｌを介してセンサー部２に直流電流が供給されており、ツェナーダイオード６の働きにより発光ダイオードに電流が流れず発光ダイオードは消灯している。センサー部２の温度が火災の発生により上昇すると、サーミスタの抵抗値が変化しサーミスタに流れる電流が変化する。この変化を信号処理部１の温度検出回路１０が検出して、閾値以上と判断した場合は火災信号回路１１に温度検出出力をする。火災信号回路１１は、温度検出回路１０の温度検出出力を受けて、受信機に火災警報信号を送出するとともに、電圧切替回路１４に信号を出力する。信号を受けた電圧切替回路１４は、センサー部２のツェナーダイオード６と発光ダイオードに電源兼信号線Ｌを介してツェナーダイオード６の規定電圧以上の電圧を供給する。発光ダイオード等の表示素子４は、順方向の電流により点灯して、センサー部２が動作したことを表示する。
【００３１】
【発明の効果】
請求項１記載の発明においては、信号処理部とセンサー部が分離している火災感知器において、２線の配線で、温度検出と動作確認灯の点灯が可能となるという効果を奏する。
【００３２】
請求項２記載の発明においては、信号処理部とセンサー部が分離している火災感知器において、２線の配線でセンサー部にコンデンサを設けることで、温度検出と動作確認灯の点灯が可能となるという効果を奏する。
【００３３】
請求項３記載の発明においては、信号処理部とセンサー部が分離している火災感知器において、２線の配線でセンサー部にツェナーダイオードを設けることで、温度検出と動作確認灯の点灯が可能となるという効果を奏する。
【図面の簡単な説明】
【図１】本発明の第１の実施の形態の火災感知器を示すブロック図である。
【図２】本発明の第２の実施の形態の火災感知器を示すブロック図である。
【図３】本発明の第３の実施の形態の火災感知器を示すブロック図である。        図
【符号の説明】
１    信号処理部
２    センサー部
３    半導体素子
４    表示素子
５    コンデンサ
６    電圧検出素子
１２  極性反転回路１２
１３  スイッチング回路１３
１４  電圧切替回路１４
Ｌ      電源兼信号線
【図１】
0003551712.tif 000002
【図２】
0003551712.tif 000003
【図３】
0003551712.tif 000004